(57)【要約】【課題】通信性能を改善したアンテナ装置を提供する。【解決手段】アンテナ装置は、第１放射面を有する第１アンテナであって、第１放射面から厚さ方向に沿って延在する第１メインローブと、第１メインローブよりも小さく、第１放射面から平面視で第１メインローブの側方に延在する複数の第１サイドローブとを形成する第１アンテナと、第１アンテナに隣接して配置され、第２放射面を有する第２アンテナであって、第２放射面から厚さ方向に沿って延在する第２メインローブと、第２メインローブよりも小さく、第２放射面から平面視で第２メインローブの側方に延在する複数の第２サイドローブとを形成する第２アンテナとを含むアンテナ装置であって、第１メインローブと第２メインローブとは、すべて互いに隣接又は重複し、第１サイドローブと第２サイドローブとは、第１アンテナと第２アンテナとを結ぶ中心線に対して平面視で角度を有するように配置される。【選択図】図３
2015216530.tif 000002
【特許請求の範囲】
【請求項１】
第１放射面を有する第１アンテナであって、前記第１放射面から厚さ方向に沿って延在する第１メインローブと、前記第１メインローブよりも小さく、前記第１放射面から平面視で前記第１メインローブの側方に延在する複数の第１サイドローブとを形成する第１アンテナと、
前記第１アンテナに隣接して配置され、第２放射面を有する第２アンテナであって、前記第２放射面から厚さ方向に沿って延在する第２メインローブと、前記第２メインローブよりも小さく、前記第２放射面から平面視で前記第２メインローブの側方に延在する複数の第２サイドローブとを形成する第２アンテナと
を含むアンテナ装置であって、
前記第１メインローブと前記第２メインローブとは、互いに隣接又は重複し、
前記複数の第１サイドローブと前記複数の第２サイドローブとは、すべて、前記第１アンテナと前記第２アンテナとを結ぶ中心線に対して平面視で角度を有するように配置される、
アンテナ装置。
【請求項２】
前記第１アンテナ及び前記第２アンテナは、それぞれ、２Ｎ（Ｎは１以上の整数）個の前記第１サイドローブ及び前記第２サイドローブを有し、前記第１サイドローブ及び前記第２サイドローブが、それぞれ、前記中心線に対して対称的に形成されるように配置される、請求項１記載のアンテナ装置。
【請求項３】
前記第１アンテナと前記第２アンテナの組を複数組含み、各組は互いに異なるチャンネルに対応しており、各組は通信エリアが互いに隣接又は重複するように配設される、請求項１又は２記載のアンテナ装置。
【発明の詳細な説明】
【技術分野】
【０００１】
本発明は、アンテナ装置に関する。
【背景技術】
【０００２】
従来より、位置測定の対象物である無線通信が可能な無線装置と、無線通信が可能な、該無線装置の位置測定のための複数の測定装置と、該複数の測定装置と接続された位置測定手段とを含み、前記無線装置の位置を測定する位置測定システムがある（例えば、特許文献１参照）。
【０００３】
前記複数の測定装置は、前記無線装置から受信した電波から、該電波の強度に関する受信情報を取得して、該取得した受信情報を前記位置測定手段に送る。該位置測定手段は、電波の発信源である前記無線装置からの距離と、該距離における電波の強度との関係についての統計データに基づいた距離減衰データを有し、該距離減衰データおよび前記受信情報から、前記無線装置の位置を測定する。
【先行技術文献】
【特許文献】
【０００４】
【特許文献１】特開２００６−３００９１８号公報
【発明の概要】
【発明が解決しようとする課題】
【０００５】
ところで、従来の位置測定システムでは、近くに配置される測定装置同士の電波が干渉し、測定装置同士の間に通信性能が低下する領域が生じる場合がある。このように通信性能の低い領域は、測定装置同士が隣り合う場合、同じ周波数で通信する場合、又は、同じチャンネルを使用する場合等において顕著である。
【０００６】
そこで、通信性能を改善したアンテナ装置を提供することを目的とする。
【課題を解決するための手段】
【０００７】
本発明の実施の形態のアンテナ装置は、第１放射面を有する第１アンテナであって、前記第１放射面から厚さ方向に沿って延在する第１メインローブと、前記第１メインローブよりも小さく、前記第１放射面から平面視で前記第１メインローブの側方に延在する複数の第１サイドローブとを形成する第１アンテナと、前記第１アンテナに隣接して配置され、第２放射面を有する第２アンテナであって、前記第２放射面から厚さ方向に沿って延在する第２メインローブと、前記第２メインローブよりも小さく、前記第２放射面から平面視で前記第２メインローブの側方に延在する複数の第２サイドローブとを形成する第２アンテナとを含むアンテナ装置であって、前記第１メインローブと前記第２メインローブとは、互いに隣接又は重複し、前記複数の第１サイドローブと前記複数の第２サイドローブとは、すべて前記第１アンテナと前記第２アンテナとを結ぶ中心線に対して平面視で角度を有するように配置される。
【発明の効果】
【０００８】
通信性能を改善したアンテナ装置を提供することができる。
【図面の簡単な説明】
【０００９】
【図１】実施の形態のアンテナ装置に含まれるアンテナ１０とメインローブ２１との関係を示す図である。
【図２】アンテナ１０が形成するメインローブとサイドローブを示す図である。
【図３】実施の形態のアンテナ装置１００とＲＳＳＩ値とを示す図である。
【図４】実施の形態のアンテナ装置１００を含む通信装置の変形例を示す図である。
【図５】実施の形態のアンテナ装置１００の配置の変形例を示す図である。
【発明を実施するための形態】
【００１０】
以下、本発明のアンテナ装置を適用した実施の形態について説明する。
【００１１】
＜実施の形態＞
図１は、実施の形態のアンテナ装置に含まれるアンテナ１０とメインローブ２１との関係を示す図である。図１では、図示するように直交座標系であるＸＹＺ座標系を定義する。図１ではＺ軸は鉛直下方を向いている。また、ＸＹ平面は、アンテナ１０の放射面と平行である。
【００１２】
アンテナ１０は、４つのパッチアンテナ１１と、基板１２とを含む。パッチアンテナ１１は、平面視で正方形であり、平面視で正方形の基板１２のＺ軸正方向側の面に、基板１２の中心１２Ａに対して点対称になるように、かつ、パッチアンテナ１１の各辺が基板１２の四辺と平行になるように配設されている。なお、アンテナ１０の放射面とは、ここでは、４つのパッチアンテナ１１の（４つの）放射面のことである。
【００１３】
パッチアンテナ１１は、例えば、基板１２の表面に貼り付けられる銅箔をパターニングすることによって形成されたものであってもよい。パッチアンテナ１１は、基板１２の層間又はＺ軸負方向側の面に形成される配線と、配線１Ａとを介して、ルータ１に接続されている。ルータ１は、ＷｉＦｉアクセスポイント（ＷｉＦｉ中継機）を構築する。
【００１４】
なお、パッチアンテナ１１は、銅製のものに限られず、アルミニウム等の銅以外の金属材料製であってもよい。
【００１５】
基板１２は、４つのパッチアンテナ１１を表面に実装できる絶縁材料製の基板であればよく、例えば、ＦＲ４(Frame Retardant type 4)規格の単層基板又は多層基板であればよい。
【００１６】
このようなアンテナ１０のパッチアンテナ１１にルータ１から給電を行うと、アンテナ１０は、右旋円偏波の電波を放射する。アンテナ１０が放射する電波は、主にメインローブとサイドローブによる分布を形成するが、図１にはメインローブ２１を示す。
【００１７】
メインローブ２１は、アンテナ１０の基板１２の中心１２ＡからＺ軸正方向（鉛直下向き）に形成される。図１では、メインローブ２１の信号強度をグラデーションで示す。グラデーションが濃い領域ほど信号強度が高く、薄い領域ほど信号強度が低い。メインローブ２１は、ＷｉＦｉアクセスポイントにアクセス可能な通信可能領域を構築する。
【００１８】
例えば、アンテナ１０を建物の内部の通路の天井等に設置し、携帯通信端末機２を有する利用者３（図１参照）が通路を通過する場合を考える。携帯通信端末機２は、例えば、スマートフォン端末機、携帯電話端末機、又は、タブレットコンピュータ等のＷｉＦｉに接続可能な端末機である。
【００１９】
天井の高さが２ｍ〜３ｍ程度であるとし、検出誤差等を考慮して、利用者３が保持する携帯通信端末機２がアンテナ１０から放射される電波を受信できる程度にアンテナ１０の出力を設定すると、メインローブ２１の半径は約１ｍ程度になる。
【００２０】
携帯通信端末機２を保持する利用者３がメインローブ２１に差し掛かると、携帯通信端末機２は、ＷｉＦｉアクセスポイントで通信可能になり、ＬＡＮに接続することができる。
【００２１】
次に、図２を用いて、メインローブとサイドローブについて説明する。
【００２２】
図２は、アンテナ１０が形成するメインローブとサイドローブを示す図である。図２（Ａ）は斜視図、図２（Ｂ）は平面図である。図２（Ａ）、（Ｂ）では、図１と共通のＸＹＺ座標系を用いる。なお、図２（Ａ）、（Ｂ）ではアンテナ１０を省略するが、アンテナ１０は図１に示すように、ＸＹ平面に平行に配設される。
【００２３】
図２（Ａ）、（Ｂ）に示すように、メインローブ２１は、アンテナ１０の基板１２の中心１２ＡからＺ軸正方向（鉛直下向き）に延在するように形成され、サイドローブ２２は、メインローブ２１の側方に形成される。サイドローブ２２は、アンテナ１０の基板１２の中心１２Ａ（図１参照）からメインローブ２１の根元２１Ｒの周りを囲むように４つ形成される。
【００２４】
４つのサイドローブ２２は、図２（Ｂ）に示すように、平面視で均等に配置されるように、メインローブ２１の側方に延在するように形成される。
【００２５】
メインローブ２１とサイドローブ２２とは、それぞれ、ある所定の信号強度以上の電波の分布を表す領域である。所定の信号強度は、メインローブ２１とサイドローブ２２とで同一であっても異なっていてもよい。
【００２６】
次に、図３を用いて、実施の形態のアンテナ装置１００について説明する。
【００２７】
図３は、実施の形態のアンテナ装置１００とＲＳＳＩ値とを示す図である。
【００２８】
図３（Ａ）に示すように、アンテナ装置１００は、３つのアンテナ１０Ａ、１０Ｂ、１０Ｃを含む。また、アンテナ装置１００のアンテナ１０Ａ〜１０Ｃには、ハイブリッド回路２２０を介して、ルータ１が接続されている。このため、アンテナ１０Ａ〜１０Ｃには同一のチャンネルの信号がルータ１から入力される。ルータ１は、例えば、ＬＡＮ(Local Area Network)等を通じてサーバ又はＰＣ(Personal Computer)等に接続されている。
【００２９】
アンテナ１０Ａ〜１０Ｃの構成は、図１に示すアンテナ１０と同様である。以下では、アンテナ１０Ａ〜１０Ｃを特に区別しない場合には、単にアンテナ１０と称す。
【００３０】
アンテナ１０Ａ〜１０Ｃは、それぞれ、メインローブ２１Ａ〜２１Ｃと、サイドローブ２２Ａ〜２２Ｃとを形成する。メインローブ２１Ａ〜２１Ｃは、それぞれ１つであり、サイドローブ２２Ａ〜２２Ｃは、それぞれ４つである。
【００３１】
アンテナ１０Ａ〜１０Ｃは、等間隔で、互いの中心１２Ａ（図１参照）が直線上に並ぶように配置される。ここでは中心１２Ａを結ぶ直線３０として示す。また、アンテナ１０Ａ〜１０Ｃは、互いのメインローブ２１Ａ〜２１Ｃが平面視で接するように、又は、重複するように直線３０に沿って配設される。さらに、アンテナ１０Ａ〜１０Ｃは、互いのサイドローブ２２Ａ〜２２Ｃが、互いの中心１２Ａ（図１参照）を結ぶ直線３０に対して角度を有するように配設される。
【００３２】
サイドローブ２２Ａが直線３０に対して角度を有するとは、サイドローブ２２Ａの中で最も信号強度が高い領域の位置（アンテナ１０Ａから延在する曲線の頂点の位置）と、アンテナ１０Ａの中心１２Ａ（図１参照）とを結ぶ直線が、直線３０に対して角度を有することをいう。
【００３３】
これは、サイドローブ２２Ｂ、２２Ｃについては、アンテナ１０Ｂ、１０Ｃの中心１２Ａとの関係において同様である。また、角度を有するとは、０度よりも大きい角度を有することをいう。
【００３４】
また、サイドローブ２２Ａ〜２２Ｃの方向は、例えば、サイドローブ２２Ａ〜２２Ｃが直線３０に対して有する角度で規定されるものとして捉えることができる。
【００３５】
アンテナ１０Ａ〜１０Ｃは、図３（Ａ）に示すように、サイドローブ２２Ａ〜２２Ｃが直線３０に対して４５度の角度をなすように配設されるのが最も好ましい。この理由は後述する。
【００３６】
なお、アンテナ１０Ａ〜１０Ｃのように、正方形状の基板１２の中心に対して点対称に、かつ、基板１２の四辺にパッチアンテナ１１の四辺が平行になるように、４つのパッチアンテナ１１が配設される場合には、サイドローブ２２Ａ〜２２Ｃは、それぞれ、平面視でアンテナ１０Ａ〜１０Ｃの基板１２（図１参照）の四辺に垂直な方向に延在する。
【００３７】
従って、アンテナ１０Ａ〜１０Ｃを上述のように配置する場合には、互いの基板１２（図１参照）の２つの対角線のうちの一方が、直線３０と一致するように配設される。
【００３８】
ここで、互いのメインローブ２１Ａ〜２１Ｃが平面視で接するように、又は、重複するようにアンテナ１０Ａ〜１０Ｃを直線３０に沿って配設するのは、直線３０に沿って、メインローブ２１Ａ〜２１ＣによってＷｉＦｉアクセスポイントに通信可能な領域を連続的に形成するためである。
【００３９】
図３（Ａ）に示す距離Ｄは、約３ｍである。距離Ｄは、アンテナ１０Ａのメインローブ２１Ａと、アンテナ１０Ｃのメインローブ２１Ｃとの直線３０に沿った端から端までの長さである。これは、図１に示すアンテナ１０のメインローブ２１の直径Ｒ（約１ｍ）の約３倍である。
【００４０】
また、互いのサイドローブ２２Ａ〜２２Ｃが直線３０に対して角度を有するようにアンテナ１０Ａ〜１０Ｃを配設するのは、サイドローブ２２Ａ〜２２Ｃ同士の干渉を低減するためである。例えば、図３（Ａ）に示すアンテナ１０Ａ〜１０Ｃをそれぞれ時計回りに４５度回転させると、アンテナ１０Ａの４本のサイドローブ２２Ａのうちの１本と、アンテナ１０Ｂの４本のサイドローブ２２Ｂのうちの１本とが重複する。また、アンテナ１０Ｂの４本のサイドローブ２２Ｂのうちの１本と、アンテナ１０Ｃの４本のサイドローブ２２Ｃのうちの１本とが重複する。
【００４１】
このような場合には、重複するサイドローブ２２Ａ及び２２Ｂと２２Ｂ及び２２Ｃとがそれぞれ干渉し合い、十分な信号強度が得られない領域がアンテナ１０Ａ及び１０Ｂの間と１０Ｂ及び１０Ｃの間に形成される。
【００４２】
実施の形態では、このようなサイドローブ２２Ａ〜２２Ｃ同士の干渉を抑制するために、互いのサイドローブ２２Ａ〜２２Ｃが直線３０に対して角度を有するようにアンテナ１０Ａ〜１０Ｃを配設している。
【００４３】
従って、図３（Ａ）に示すように、アンテナ１０Ａ〜１０Ｃがそれぞれ４本のサイドローブ２２Ａ〜２２Ｃを形成する場合には、互いのサイドローブ２２Ａ〜２２Ｃが直線３０に対して４５度の角度を有する場合に、サイドローブ２２Ａ〜２２Ｃ同士の干渉は最も低減される。そして、このような構成の場合に、メインローブ２１Ａ〜２１Ｃによって形成される通信領域は、サイドローブ２２Ａ〜２２Ｃの干渉による影響が最も低減される。
【００４４】
なお、アンテナ１０Ａ〜１０Ｃを、等間隔で配置するのは、メインローブ２１Ａ及び２１Ｂの境界と２１Ｂ及び２１Ｃの境界とにおける信号強度を均等にするためである。また、アンテナ１０Ａ〜１０Ｃを直線３０上に並ぶように配置するのは、サイドローブ２２Ａ〜２２Ｃの干渉を低減するためにはアンテナ１０Ａ〜１０Ｃ直線３０上に並べるのが最も効率的であり、また、アンテナ装置１００は、通信可能な領域を直線的に伸延することを想定しているからである。通信可能な領域は、平面視で図３（Ａ）に示すメインローブ２１Ａ〜２１Ｃが存在する領域である。通信可能な領域は、直線３０に沿った長手方向を有する。
【００４５】
図３（Ｂ）は、アンテナ装置１００の通信可能な領域の長手方向における信号強度の分布を示す図である。ここでは、信号強度をＲＳＳＩ(Received Signal Strength Indicator:受信信号電界強度)値[dBm]で示す。図３（Ｂ）における横軸の距離(distance)が０[m]の点は、アンテナ１０Ｂの中心１２Ａ（図１参照）であり、距離が正の方向は、アンテナ１０Ａ側であり、距離が負の方向は、アンテナ１０Ｃ側である。
【００４６】
図３（Ｂ）に示すように、信号強度は、距離が０[m]の点に対して略対称になっており、距離が０[m]の点から離れるに従って比較的急激に低下している。信号強度の距離に対する勾配は、距離が０[m]の点を挟む前後３[m]にわたって、約１５[dBm]／０．５[m]である。また、距離が０[m]の点を挟む前後３[m]にわたって約−３２[dBm]以上の値が得られている。
【００４７】
このため、距離が０[m]の点を挟む前後３[m]にわたって、良好な通信が可能なＷｉＦｉアクセスポイントを構築することができ、利用者３の携帯通信端末機２は、ＷｉＦｉアクセスポイントを検出したことを精度よく判定することができる。
【００４８】
例えば、携帯通信端末機２を有する利用者３が、歩きながらＷｉＦｉアクセスポイントの通信可能領域を通過すると、３[m]の区間にわたって通信が可能であるため、携帯通信端末機２は数秒間にわたって通信が可能になる。このため、十分な通信時間があり、必要な情報をダウンロードすることができる。
【００４９】
このように通信可能領域の区間が長いことは、特に、携帯通信端末機２の移動速度が高い場合において効率的かつ確実な通信を行う場合に有効的である。１つのアンテナ１０のみでは、携帯通信端末機２の移動速度が高い場合には、十分な通信を行うことができないおそれがあるからである。
【００５０】
また、ＷｉＦｉアクセスポイントを構築するルータ１は、pingコマンドを用いて携帯通信端末機２を検出する機能を有するため、通信可能な領域に携帯通信端末機２を有する利用者３がいる場合に、ルータ１を介して、携帯通信端末機２の存在の有無を検出することができる。
【００５１】
また、携帯通信端末機２の存在の有無は、アンテナ１０Ａ〜１０Ｃの各々について行うことができるため、携帯通信端末機２の位置を検出することもできる。なお、携帯通信端末機２の存在の有無を検出は、ルータ１が行う場合に限らず、ルータ１に接続されるサーバ又はＰＣ等が行ってもよい。
【００５２】
図３（Ｂ）では、距離が０[m]の点を挟む前後３[m]にわたって、約１５[dBm]／０．５[m]であり、約−３２[dBm]以上の信号強度の値が得られているため、距離が０[m]の点を挟む前後３[m]の範囲では、携帯通信端末機２の位置がアンテナ１０Ａ〜１０Ｃのいずれの通信領域内にあるかを通信が途切れることなく、正確に把握することができる。
【００５３】
例えば、アンテナ１０Ａ〜１０Ｃのサイドローブ２２Ａ〜２２Ｃ同士が干渉して、距離が０[m]の点を挟む前後３[m]の範囲内に、信号強度が極端に低下する領域が存在すると、その領域内では通信ができなくなるため、携帯通信端末機２の位置を把握できなくなるおそれがある。
【００５４】
これに対して、実施の形態のアンテナ装置１００では、距離が０[m]の点を挟む前後３[m]の範囲において、約−３２[dBm]以上の信号強度の値が得られているため、携帯通信端末機２の位置がアンテナ１０Ａ〜１０Ｃのいずれの通信領域内にあるかを正確に把握することができる。
【００５５】
ここでは、前後３[m]程度の通信可能な領域について説明したが、図３（Ｂ）では、信号強度が−４４[dBm]以上の領域まで範囲を拡げても、通信が可能であり、ＷｉＦｉアクセスポイント内における携帯通信端末機２の存在の有無を安定的に判別することができる。−４４[dBm]以上であれば、信号強度がそれ以下になるポイントが存在しないからである。なお、−４４[dBm]以上の領域は、距離が０[m]の点を挟む前後４[m]にわたる領域である。
【００５６】
また、アンテナ１０の数をさらに増やせば、通信可能な領域をさらに長くすることができる。
【００５７】
なお、距離が０[m]の点で信号強度が約−４３[dBm]になっているのは、アンテナ１０Ｂのヌル点に相当する。これはごく狭い範囲なので、通信性能に特に影響は生じない。
【００５８】
以上、実施の形態のアンテナ装置１００によれば、アンテナ１０Ａ〜１０Ｃが上述のような構成を有し、かつ、上述のように配置されることにより、通信可能な領域の長さを数メートル程度にまで拡げることができる。これは、図１に示すように、１つのアンテナ１０のみによって得られる通信可能な領域に比べると、通信可能な距離が数倍になっていることを意味する。
【００５９】
従って、実施の形態によれば、通信性能を改善したアンテナ装置１００を提供することができる。
【００６０】
また、アンテナ１０Ａ〜１０Ｃを用いることにより、携帯通信端末機２の位置を検出（測位）することができるアンテナ装置１００を提供することができる。
【００６１】
なお、以上では、アンテナ１０が含む４つのパッチアンテナ１１が平面視で正方形である形態について説明したが、パッチアンテナ１１は、角が面取りされていてもよい。このような面取りは、四隅のうちの対向する２つの隅についてであってもよい。
【００６２】
また、以上では、アンテナ１０は、４つのパッチアンテナ１１を含む形態について説明したが、パッチアンテナ１１の数は４つに限られない。アンテナ１０が右旋又は左旋の円偏波の電波を放射できるのであれば、例えば、８個又は１６個であってもよい。
【００６３】
また、以上では、アンテナ１０が４つのサイドローブ２２を形成する形態について説明したが、アンテナ１０の形状と、又は、パッチアンテナ１１の数及び配置等とにより、サイドローブ２２の数は、４つ以外の場合も有り得る。
【００６４】
サイドローブ２２の数は、偶数（２Ｎ個）であり、Ｎは１以上の整数である。例えば、サイドローブが２本の場合は、２本のサイドローブがともに直線３０に対して平面視で９０度をなすようにアンテナ１０を配置することが好ましい。また、サイドローブが６本以上の場合においても、すべてのサイドローブが直線３０に対して角度を有するように配置されることが必要である。
【００６５】
アンテナ１０は、すべてのサイドローブが直線３０に対して対称的に形成されるように配置されればよい。直線３０に対して対称的とは、直線３０に対して線対称な場合に加えて、例えば、２Ｎ個のサイドローブが中心１２Ａに対して完全に回転対称ではないような場合に、２Ｎ個のサイドローブが直線３０に対して略線対称に配置される場合を含む意味である。
【００６６】
また、以上では、アンテナ装置１００が３つのアンテナ１０Ａ〜１０Ｃを含む形態について説明したが、アンテナ１０の数は３つに限られず、複数の場合は２つ以上であればよい。
【００６７】
また、アンテナ装置１００が１つのアンテナ１０のみを含み、サイドローブ２２が利用者が通行する通路の進行方向に対して、角度を有するように配置されていてもよい。
【００６８】
図４は、実施の形態のアンテナ装置１００を含む通信装置の変形例を示す図である。
【００６９】
アンテナ装置１００のアンテナ１０Ａ〜１０Ｃには、それぞれ、ルータ１Ａ〜１Ｃが接続されていてもよい。この場合に、ルータ１Ａ〜１Ｃのチャンネルは、同一であってもよいし、異なっていてもよい。
【００７０】
図５は、実施の形態のアンテナ装置１００の配置の変形例を示す図である。
【００７１】
図５（Ａ）には、図３（Ａ）に示すアンテナ装置１００のアンテナ１０Ａ〜１０Ｃのメインローブ２１Ａ〜２１Ｃによる通信領域を３つの六角形で示す。
【００７２】
図５（Ｂ）に示す、メインローブ２１Ａ１、２１Ｂ１、２１Ｃ１、メインローブ２１Ａ２、２１Ｂ２、２１Ｃ２、メインローブ２１Ａ３、２１Ｂ３、２１Ｃ３、メインローブ２１Ａ４、２１Ｂ４、２１Ｃ４のように、４組のアンテナ装置１００を互いの通信領域が隣接するように配設してもよい。
【００７３】
この場合に、４組のアンテナ装置１００が互いに異なるチャンネルで通信してもよい。すなわち、メインローブ２１Ａ１、２１Ｂ１、２１Ｃ１、メインローブ２１Ａ２、２１Ｂ２、２１Ｃ２、メインローブ２１Ａ３、２１Ｂ３、２１Ｃ３、メインローブ２１Ａ４、２１Ｂ４、２１Ｃ４のアルファベットＡ、Ｂ、Ｃの次の添え数字が同一のものを１つの組（１つのアンテナ装置１００）を構築する場合に、４つのアンテナ装置１００がが互いに異なるチャンネルで通信してもよい。
【００７４】
また、さらに、図５（Ｂ）に示す組を１６組分だけ隣接するように配置することにより、図５（Ｃ）に示すような通信領域を構築してもよい。図５（Ｃ）では、説明の便宜上、符号を省略するが、図５に示す４つの組と同様のグラデーションの濃淡で、チャンネルの違いを示す。すなわち、図５（Ｃ）には、４つのチャンネルの通信領域が、それぞれ、４つずつ配置されている。
【００７５】
このような通信領域を形成すれば、広範囲にわたって、通信領域の提供と、携帯通信端末機２の位置の判定とを行うことができる。
【００７６】
また、例えば、建物の内部において、様々な場所に設置することにより、利用者３の有無を検出することができる。例えば、細長いカウンタ、Ｔ字型の通路、十字型の通路等の様々な場所に設置することにより、利用者３の有無を検出することができる。
【００７７】
なお、図５（Ａ）のようにインローブ２１Ａ、２１Ｂ、２１Ｃが、すべてチャンネルの異なるアンテナ１０によって実現されていてもよい。
【００７８】
また、図５（Ｂ）、（Ｃ）に示すメインローブ２１Ａ１、２１Ｂ１、２１Ｃ１、２１Ａ２、２１Ｂ２、２１Ｃ２、２１Ａ３、２１Ｂ３、２１Ｃ３、２１Ａ４、２１Ｂ４、２１Ｃ４が、すべてチャンネルの異なるアンテナ１０によって実現されていてもよい。
【００７９】
以上、本発明の例示的な実施の形態のアンテナ装置について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
第１放射面を有する第１アンテナであって、前記第１放射面から厚さ方向に沿って延在する第１メインローブと、前記第１メインローブよりも小さく、前記第１放射面から平面視で前記第１メインローブの側方に延在する複数の第１サイドローブとを形成する第１アンテナと、
前記第１アンテナに隣接して配置され、第２放射面を有する第２アンテナであって、前記第２放射面から厚さ方向に沿って延在する第２メインローブと、前記第２メインローブよりも小さく、前記第２放射面から平面視で前記第２メインローブの側方に延在する複数の第２サイドローブとを形成する第２アンテナと
を含むアンテナ装置であって、
前記第１メインローブと前記第２メインローブとは、互いに隣接又は重複し、
前記複数の第１サイドローブと前記複数の第２サイドローブとは、すべて、前記第１アンテナと前記第２アンテナとを結ぶ中心線に対して平面視で角度を有するように配置される、
アンテナ装置。
（付記２）
前記第１アンテナ及び前記第２アンテナは、それぞれ、２Ｎ（Ｎは１以上の整数）個の前記第１サイドローブ及び前記第２サイドローブを有し、前記第１サイドローブ及び前記第２サイドローブが、それぞれ、前記中心線に対して対称的に形成されるように配置される、付記１記載のアンテナ装置。
（付記３）
前記第１アンテナと前記第２アンテナの組を複数組含み、各組は互いに異なるチャンネルに対応しており、各組は通信エリアが互いに隣接又は重複するように配設される、付記１又は２記載のアンテナ装置。
（付記４）
付記１乃至３のいずれか一項記載のアンテナ装置と、
前記第１アンテナ及び前記第２アンテナに接続されるハイブリッド回路と、
前記ハイブリッド回路に接続され、送信又は受信を行う機器と
を含む、通信装置。
（付記５）
付記１乃至３のいずれか一項記載のアンテナ装置と、
前記第１アンテナに接続され、送信又は受信を行う第１機器と、
前記第２アンテナに接続され、送信又は受信を行う第２機器と
を含む、通信装置。
（付記６）
通信端末機の移動通路に沿って配置され、前記移動通路に向く放射面を有するアンテナであって、前記放射面から厚さ方向に沿って延在するメインローブと、前記メインローブよりも小さく、前記放射面から平面視で前記メインローブの側方に延在する複数のサイドローブとを形成するアンテナを含み、
前記アンテナは、すべての前記サイドローブが前記移動通路における移動方向に対して平面視で角度を有するように配置される、アンテナ装置。
（付記７）
前記アンテナを複数含み、前記複数のアンテナはそれぞれ互いに異なるチャンネルに対応しており、前記複数のアンテナは通信エリアが互いに隣接又は重複するように配設される、付記４記載のアンテナ装置。
【符号の説明】
【００８０】
１００  アンテナ装置
１０、１０Ａ、１０Ｂ、１０Ｃ  アンテナ
１１  パッチアンテナ
１２  基板
１２Ａ  中心
２１Ａ、２１Ｂ、２１Ｃ、２１Ａ１、２１Ｂ１、２１Ｃ１、２１Ａ２、２１Ｂ２、２１Ｃ２、２１Ａ３、２１Ｂ３、２１Ｃ３、２１Ａ４、２１Ｂ４、２１Ｃ４  メインローブ
２２Ａ、２２Ｂ、２２Ｃ  サイドローブ
【図１】
2015216530.tif 000003
【図２】
2015216530.tif 000004
【図３】
2015216530.tif 000005
【図４】
2015216530.tif 000006
【図５】
2015216530.tif 000007